(57)【要約】【課題】物体探査中に不必要に壁を汚さず、マーキング位置の正確性、およびマーキングのしやすさ、すばやさなど操作性に優れたものとすること。さらに筆記具による筆記具保持用ゴムの突き破りを防止すること。【解決手段】埋設物検出装置１の本体ケース５に、物体の位置を壁材２等の表面４上にマーキングするための筆記具７が挿入される開口部９を設けると共に、開口部９内に筆記具７を壁材２等の表面４に当たらない位置で保持するための筆記具保持用ゴム１０を設け、この筆記具保持用ゴム１０は、筆記具７の先端部を筆記具保持用ゴム１０に設けた保持用孔１１に向かって案内するガイド部１２と、保持用孔１１により保持された筆記具７の先端部を壁材２等の表面４に押し付ける方向に向かって移動可能にする撓み部１３とを設けた。【選択図】        図１
2004184287.tif 000002
【特許請求の範囲】
【請求項１】
壁材や天井材の表面に沿って移動される本体ケースにセンサー部を設け、壁材等の背後に物体があるときに誘電率に差が生じることを利用して静電容量の変化を検出したり、或いは周囲の磁界、電界の強さの変化量を検出することで、物体の位置を探査する埋設物検出装置において、前記本体ケースに、物体の位置を壁材等の表面上にマーキングするための筆記具が挿入される開口部を設けると共に、開口部内に筆記具を壁材等の表面に当たらない位置で保持するための筆記具保持用ゴムを設け、この筆記具保持用ゴムは、筆記具の先端部を筆記具保持用ゴムに設けた保持用孔に向かって案内するガイド部と、保持用孔により保持された筆記具の先端部を壁材等の表面に押し付ける方向に向かって移動可能にする撓み部とを具備していることを特徴とするマーキング機能を有する埋設物検出装置。
【請求項２】
前記開口部内に、筆記具の側面部を支点支持すると共に筆記具の先端部を壁材等の表面と平行な方向に動かせるようにするための支点支持部を設けたことを特徴とする請求項１記載のマーキング機能を有する埋設物検出装置。
【請求項３】
前記撓み部の所定以上の撓みを規制するためのリングを付設したことを特徴とする請求項１記載のマーキング機能を有する埋設物検出装置。
【請求項４】
前記撓み部に、撓み方向に沿わせて厚肉に形成された厚肉部を設けたことを特徴とする請求項１又は請求項３記載のマーキング機能を有する埋設物検出装置。
【請求項５】
前記開口部内に、前記リングの所定以上の動きを規制するためのストッパー部を設けたことを特徴とする請求項３記載のマーキング機能を有する埋設物検出装置。
【請求項６】
前記開口部から壁材等の表面側とは反対方向に向かって筆記具が挿入保持される筒状凸部を突設したことを特徴とする請求項１又は請求項２又は請求項５記載のマーキング機能を有する埋設物検出装置。
【請求項７】
前記本体ケースを前面ケースと後面ケースとで構成し、前面ケースと後面ケースとの間で筆記具保持用ゴムを挟持してなることを特徴とする請求項１乃至請求項６のいずれかに記載のマーキング機能を有する埋設物検出装置。
【発明の詳細な説明】
【０００１】
【発明の属する技術分野】
本発明は、合板や石膏ボードからなる壁材や天井材の背後にあって壁材や天井材を取り付ける胴縁、間柱、野縁等の支柱や、壁の背後に配設された水道管、電線管等の物体を探査するためのマーキング機能を有する埋設物検出装置に関し、詳しくは物体を検出した位置でマーキングによりその位置を壁材や天井材の表面に表示する技術に関するものである。
【０００２】
【従来の技術】
一般に合板や石膏ボード等の壁材や天井材により壁や天井が形成されている場合であって、壁材に時計や額、手すりを取付けたり、壁材や天井材に照明を取付ける場合には壁材や天井材の背部に設けられた支柱を探し出し、釘やフックを支柱に装着することが必要であり、また、空調機等を取付けるときには、壁内に埋設された水道管や電線管を避けて穴をあける必要がある。しかしながら、一般に壁材の表面は化粧シートを貼りつけたり、塗装を施すことによる表面仕上げがなされているから、支柱の位置を黙視によって探し出すのは困難である。
【０００３】
そこで、従来、合板や石膏ボードからなる壁材や天井材の背後にあって壁材や天井材を取り付ける胴縁、間柱、野縁等の支柱や、壁の背後に配設された水道管、電線管等を検知するための埋設物検出装置が知られている（例えば、特許文献１参照）。これは、壁材の背後における支柱の有無に応じて誘電率が変化することを利用し、静電容量の変化によって壁材の背後に配設された支柱を探知するものである。すなわち、本体ケース背面に取り付けた電極板を壁材の表面に沿って移動させ、電極板に生じている電界が誘電率の変化に伴って変化することを利用して静電容量の変化を検出するのである。ここで、静電容量は支柱の中心位置で最大となるように変化する。静電容量が所定値以上であるとき発光ダイオードなどの表示素子が点灯したり、発音素子が鳴動したりする。また、周囲の磁界、電界の強さの変化量を検出することで、壁の背後に配設された水道管や電線管を検知できるようにしている。
【０００４】
【特許文献１】
特公平７−１３１３号公報
【０００５】
【発明が解決しようとする課題】
しかしながら、従来の埋設物検出装置にあっては、壁材の背後にある物体を探査し、その物体位置を壁材の表面上にマーキングする際、マーキング位置にまで筆記具をもっていくことに俊敏性にかけ、利き手で操作し、探査後に筆記具を取り出すため、利き手と逆の手に持ち替える場合もあり、操作性が悪い。また、予め開口部に比較的短い鉛筆を挿入しておいて、物体を検出後、その鉛筆ですばやく鉛筆を押し下げマーキングをすることも考えられるが、マーキングをしないときにも鉛筆を挿入しているため、不必要に壁材を汚すおそれもある。
【０００６】
そこで、本発明者は本発明に至る過程で、図１１、図１２に示すように、埋設物検出装置１の本体ケース５にマーキングのための鉛筆８が挿入される開口部９を設けると共に、この開口部９内に鉛筆８の芯８ａを壁材２や天井材の表面４に当たらない位置で保持するための筆記具保持用ゴム１０を設ける構造を考えた。この筆記具保持用ゴム１０は、鉛筆８の芯８ａを壁材２等の表面４に押し付ける方向に向かって移動可能にする撓み部１３を有しており、壁材２等の背後にある物体を探査している時は、鉛筆８の芯８ａが本体ケース５の内側にあるよう鉛筆８は保持され、マーキングする際に図１２の矢印ａで示す方向に鉛筆８を押し込むことで、鉛筆８の芯８ａが本体ケース５の背面の孔４０から突出することでマーキングができるようになり、マーキングした後に鉛筆８を離すとゴムの反力により鉛筆８は元の保持位置にもどるため、物体探査中に不必要に壁を汚さず、マーキング位置の正確性、およびマーキングのしやすさ、すばやさなど操作性に優れているものである。
【０００７】
しかしながら、図１２（ｂ）に示すように、鉛筆８が傾いて押し込められた場合、鉛筆８の芯８ａが筆記具保持用ゴム１０に引っ掛ったり、筆記具保持用ゴム１０を突き破ったりするという問題がある。
【０００８】
本発明は、上記の従来例の問題点に鑑みて発明したものであって、その目的とするところは、物体探査中に不必要に壁を汚さず、マーキング位置の正確性、およびマーキングのしやすさ、すばやさなど操作性に優れているものでありながら、さらに筆記具を傾いた状態で挿入した場合でも筆記具保持用ゴムに引っ掛ったり、突き破ったりするのを防止することができるマーキング機能を有する埋設物検出装置を提供することにある。
【０００９】
【課題を解決するための手段】
上記課題を解決するために本発明にあっては、壁材２や天井材の表面４に沿って移動される本体ケース５にセンサー部６を設け、壁材２等の背後に物体があるときに誘電率に差が生じることを利用して静電容量の変化を検出したり、或いは周囲の磁界、電界の強さの変化量を検出することで、物体の位置を探査する埋設物検出装置において、前記本体ケース５に、物体の位置を壁材２等の表面４上にマーキングするための筆記具７が挿入される開口部９を設けると共に、開口部９内に筆記具７を壁材２等の表面４に当たらない位置で保持するための筆記具保持用ゴム１０を設け、この筆記具保持用ゴム１０は、筆記具７の先端部を筆記具保持用ゴム１０に設けた保持用孔１１に向かって案内するガイド部１２と、保持用孔１１により保持された筆記具７の先端部を壁材２等の表面４に押し付ける方向に向かって移動可能にする撓み部１３とを具備していることを特徴としており、このように構成することで、本体ケース５を移動させているときは、筆記具７は筆記具保持用ゴム１０によって開口部９の内側に保持され、マーキングする際は、手で筆記具７を壁材２等の表面４に向かって押し込むだけでよいため、マーキング位置の正確性、およびマーキングのしやすさ、すばやさなど操作性にきわめて優れたものとなり、またこのとき、筆記具７を押し込むと、筆記具保持用ゴム１０が撓み、マーキングした後に筆記具７を離すとゴムの反力により筆記具７は元の保持位置にもどるため、物体探査中に不必要に壁材２等を汚すこともなくなる。また筆記具保持用ゴム１０に筆記具７を挿入する際に仮りに筆記具７が真っ直ぐ挿入されなくても、ガイド部１２によって筆記具７の先端部が筆記具保持用ゴム１０に当たるのを防止でき、筆記具保持用ゴム１０を突き破ることを防止できると共に、ガイド部１２に沿って筆記具７を保持用孔１１に向かってスムーズにガイドできるようになる。
【００１０】
また前記開口部９内に、筆記具７の側面部８ｂを支点支持すると共に筆記具７の先端部を壁材等の表面４と平行な方向に動かせるようにするための支点支持部１４を設けるのが好ましく、この場合、壁材２の表面４に自由なマーキングがしやすくなる。
【００１１】
また前記撓み部１３の所定以上の撓みを規制するためのリング１５を付設するのが好ましく、この場合、筆記具保持用ゴム１０による筆記具７の保持力が向上すると共に、設定以上に撓み部１３が撓むのをリング１５によって防止できるようになり、ゴムのへたりを防止できる。
【００１２】
また前記撓み部１３に、撓み方向Ａに沿わせて厚肉に形成された厚肉部１６を設けるのが好ましく、この場合、筆記具７を押し込んだ際に筆記具保持用ゴム１０のひっくり返り（反転して戻らなくなる状態）を未然に防止することができる。
【００１３】
また前記開口部９内に、前記リング１５の所定以上の動きを規制するためのストッパー部１８を設けるのが好ましく、この場合、筆記具保持用ゴム１０が大きく撓んだ場合に、リング１５がストッパー部１８に当たることで、筆記具７の突出量が調整でき、必要以上に筆記具７の先端部を壁材２等の表面４に押し当てることがなくなり、壁材２に傷をつけたり、筆記具７の先端が折れたりすることを回避できる。
【００１４】
また前記開口部９から壁材２等の表面４側とは反対方向に向かって筆記具７が挿入保持される筒状凸部１９を突設するのが好ましく、この場合、筒状凸部１９によって開口部９内に保持されている筆記具７のぐらつきを押さえることができると共に、比較的長い筆記具７でも安定して保持できるようになる。
【００１５】
また前記本体ケース５を前面ケース２０Ｂと後面ケース２０Ａとで構成し、前面ケース２０Ｂと後面ケース２０Ａとの間で筆記具保持用ゴム１０を挟持してなるのが好ましく、この場合、本体ケース５を利用して筆記具保持用ゴム１０の固定が容易にでき、しかも筆記具保持用ゴム１０を固定するための専用の部品を設ける必要がなく、さらに筆記具保持用ゴム１０を利用して防水性を高めることができる。
【００１６】
【発明の実施の形態】
以下、本発明を添付図面に示す実施形態に基づいて説明する。
【００１７】
本実施形態のマーキング機能を有する埋設物検出装置１は、図１、図２に示すように、壁材２や天井材の表面４に沿って移動される本体ケース５に、壁材２や天井材の背後に物体（背後部材）があるときに誘電率に差が生じることを利用して静電容量の変化を検出したり、或いは周囲の磁界、電界の強さの変化量を検出するためのセンサー部６を設け、センサー部６の出力値が所定基準値に達するとＬＥＤ、ブザー等の報知手段により物体の位置を報知する構造に加えて、前記本体ケース５に、物体の位置を壁材２や天井材の表面４上にマーキングするための筆記具７が挿入される開口部９を設けると共に、開口部９内に筆記具７の先端部を壁材２等の表面４に当たらない位置で保持するための筆記具保持用ゴム１０を設けて構成されている。筆記具７として、以下、鉛筆８を例示するが、もちろんこれに限らず、ボールペン等であってもよい。また壁材２の背後部材を検出する場合を説明するが、天井材にも同様に適用されるものである。
【００１８】
先ず、図５は埋設物検出装置１の本体ケース５内部の構成を示している。ここでは、周囲に形成した磁界の変動を電気信号に変換する第１のセンサー６Ａと、周囲の誘電率に対応した電気信号が得られる第２のセンサー６Ｂと、第１のセンサー６Ａと第２のセンサー６Ｂの各出力値が所定基準値に達すると各々出力が得られる動作制御回路２１と、各動作制御回路２１からの出力に応じて報知を行うブザー２２や表示を行なうランプ等が配置された基板２４とを具備したものであり、これらの詳細は従来例で説明した特公平７−１３１３号公報に開示されているものと同様である。
【００１９】
上記埋設物検出装置１の探知機能は、壁材２（或いは天井材）の背後にある木材（間柱、胴縁など）、プラスチック（塩ビ管など）及び金属（鉄管、銅管など）の各種探知部材を探知するものである。ここで、木材やプラスチックの探知においては、壁材２の背後における木材などの支柱２５の有無に応じて、誘電率が変化することを利用して、本体ケース５の背面側内部にある面状電極（図示せず）に生じる静電容量の変化量を検出する。なお、探知部材が木材の場合には、「木材浅（例えば壁材２の厚みが約１３ｍｍの場合）モード」と「木材深（例えば壁材２の厚みが約１３〜２５ｍｍの場合）モード」とに切替えられ、壁材２の厚みに応じて使いわけられる。また金属の探知の場合は、金属が近づくと周囲に形成された磁界が変化することを利用して、本体ケース５内部に具備された金属センサーが電気信号の変化量を検出する。一方、活線警告機能は、電気が通っている電線（以下「活線」という。）が近くにあると、活線からでている電界を本体ケース５内部にある面状電極（図示せず）で電気信号に変換し電気信号の変化量を検出することによって、活線ランプを点灯させるものである。
【００２０】
上記本体ケース５の下半部は、手で持ちやすいようにゴムグリップからなるグリップ部２６が設けられており、グリップ部２６の下端に設けた取付け部２７には市販のストラップが取付け可能となっている。
【００２１】
本体ケース５の前面中央には、図２（ａ）に示すように、電源のＯＮ，ＯＦＦ及び探知スタート用スイッチを兼ねるメインスイッチ２８が設けられている。メインスイッチ２８の下側には「木材浅」「木材深」及び「金属専用」の探知モード切替スイッチ２９が設けられている。メインスイッチ２８の上側には、表示パネル２３が設けられている。ここでは、ＬＥＤからなるランプａ〜ｋが設けられている。ランプａは活線警告ランプであり、近くに活線があると点灯する。ランプｂ，ｃ，ｄ，ｈ，ｉ，ｊは、探知レベルアップランプであり、支柱２５の無いところから支柱２５のあるところまで近づけていくと、ランプｂ，ｊが点灯し、続いてランプｃ，ｉが点灯し、続いてランプｄ，ｈが順に点灯するようになっている。ランプｆは支柱２５を探知したときに点灯する探知ランプである。ランプｅは「木材浅」、「木材深」モードで使用時において支柱２５を検知したら点灯する木材文字ランプである。ランプｇは「金属専用」モードで使用時、金属を探知したときに点灯する金属文字ランプである。なお、金属文字ランプｇは、「木材浅」「木材深」モードでの使用時において、支柱２５（木材など）を探知し且つ金属も探知した場合にのみ点灯するものである。ランプｋは電池の容量が十分ある状態では点灯させ、容量が少なくなっている状態では点滅させ、ユーザに電池交換催促を告知するための電池容量表示ランプである。
【００２２】
本体ケース５の背面には、図３に示すように、電極板３０が設けられ、電極板３０の上下両側には、帯状をした滑性を有する平坦面部分３が設けられている。壁材２や天井材の表面４は化粧シートを貼りつけたり、塗装を施すことによる表面仕上げがなされており、様々な凹凸形状を有しているため、電極板３０の前後に滑性を有する平坦面部分３を配置することで、電極板３０による検知精度を保ったまま、壁材２や天井材の表面４を傷つけずにしかも凹凸形状の摩擦などの影響を受けにくくすることができる構造となる。
【００２３】
次に、上記本体ケース５のマーキング機能について説明する。本体ケース５の表示パネル２３よりも上側には、物体を探知したときに印をつけるためのガイドとなるマーキングガイド９ａとマーキング用の開口部９とが設けられており、開口部９内にマーキング用の鉛筆８が挿入されて保持されるようになっている。
【００２４】
上記開口部９内には、図１（ａ）に示すように、鉛筆８の側面部８ｂを支点支持するための支点支持部１４が設けられており、鉛筆８を支点支持部１４を支点にして前後左右に動かすことによって壁材２の表面４にマーキングできるようにしてある。さらに、開口部９から壁材２の表面４側とは反対方向に向かって鉛筆８が挿入保持される筒状凸部１９が突設されている。この筒状凸部１９は本体ケース５の外郭から立設されており、開口部９内に保持されている鉛筆８のぐらつきを押さえると共に、比較的長い鉛筆８も安定して保持することができる働きをする。
【００２５】
上記開口部９内の支点支持部１４よりも背後側には、筆記具保持用ゴム１０が保持されている。ここでは、本体ケース５は、前面ケース２０Ｂと後面ケース２０Ａとで構成され、前面ケース２０Ｂと後面ケース２０Ａとの突き合わせ部３１によって筆記具保持用ゴム１０の固定部３２を挟持して保持できるようになっている。ここでは、固定部３２の上面に設けた凹所３２ａに前面ケース２０Ｂのリブ５５の下端部が嵌合し、固定部３２の下面に設けた凸部３２ｂに後面ケース２０Ａのリブ５６の上端部が嵌合する構造となっている。
【００２６】
筆記具保持用ゴム１０の固定部３２よりも外周部には、上下方向に延びた防水フランジ片３３が連設されている。また、固定部３２よりも内周部には、鉛筆８の押し込み方向に沿って弾性変形可能な撓み部１３が形成され、撓み部１３の内周側にすり鉢状の傾斜部３４が設けられ、傾斜部３４の中心側に鉛筆８の芯８ａが貫通する保持用孔１１が形成されている。この保持用孔１１に鉛筆８の削り代部８ｃを貫通させることで、図４に示すように、鉛筆８を保持できるようになっている。
【００２７】
ここで、上記撓み部１３は、鉛筆８の芯８ａを壁材２の表面４に押し付ける方向に向かって弾性変形可能とされており、本例では、固定部３２側に連なる厚肉部１６と、傾斜部３４側に連なる薄肉部１７（肉盗み部）とで撓み部１３が形成されている。厚肉部１６は撓み方向Ａに沿わせて厚肉に形成されており、一方、薄肉部１７は撓み方向Ａに沿わせて薄肉に形成されており、厚肉部１６によって筆記具保持用ゴム１０の反転防止を図りつつ、薄肉部１７の撓みによって鉛筆８の芯８ａを壁材２の表面４に押し付けることができるようになっている。
【００２８】
また、筆記具保持用ゴム１０の傾斜部３４上には、鉛筆８の芯８ａを保持用孔１１に向かって案内するためのガイド部１２が載置されている。ガイド部１２は、例えばプラスチック、金属等からなる。ここではガイド部１２は、筆記具保持用ゴム１０の傾斜部３４に沿って傾斜している傾斜ガイド面３５と、前面ケース２０Ｂの開口部９の下端周辺に設けた凹所５０内に保持されるフランジ部３６とで一体形成されており、鉛筆８が仮りに傾いた状態で挿入された場合であっても、鉛筆８の芯８ａが傾斜ガイド面３５に当たることによって、筆記具保持用ゴム１０が保護され、筆記具保持用ゴム１０が突き破られるのを防止できると共に、鉛筆８の芯８ａは傾斜ガイド面３５に沿って筆記具保持用ゴム１０の保持用孔１１にスムーズにガイドされる構造となっている。さらに、傾斜ガイド面３５は筆記具保持用ゴム１０の傾斜部３４全体を覆うのではなく、傾斜部３４の途中で途切れており、これにより鉛筆８の削り代部８ｃが傾斜ガイド面３５と干渉することがなく、鉛筆８の押し込みに支障をきたさない構造となっている。
【００２９】
次に、埋設物検出装置１の使用方法の一例を説明する。先ず、図３の電池蓋３７を外して乾電池を入れた後、メインスイッチ２８を長押し（約２秒）することにより電源をいれる。その後、探知モード切替スイッチ２９によって探知モードに設定し、探知部材のある壁材２（或いは天井材）の表面４に本体ケース５の背面を当ててから、メインスイッチ２８をワンプッシュする（初期設定）。その後、探知を開始する。先ず本体ケース５を壁材２に押し当てた状態（図１０）で、一方向から壁材２の表面４に沿って滑らす。探知部材（支柱２５）が近づくにつれ、レベルアップランプ（ｂ，ｃ，ｄ，ｈ，ｉ，ｊ）が両端点灯から中央点灯に移動してくる。そして、探知完了すると探知ランプｆが点灯する。このとき、マーキング作業を行なう。つまり、本体ケース５を保持しながら鉛筆８を押し込むと、鉛筆８の芯８ａが本体ケース５の背面の孔４０から突出する。これにより壁材２の表面４に印をつけることができる。その後、上記一方向とは逆方向からの探知を開始し、上記と同じ手順で、初期設定〜マーキングまでの一連の操作を行なう。これにより、探知部材の中心位置を推測することができる。探知後はメインスイッチ２８を長押し（約２秒）して電源を切る。
【００３０】
しかして、本体ケース５を移動させているときは、鉛筆８の芯８ａは筆記具保持用ゴム１０によって開口部９の内側に保持されており、しかもマーキングする際は、手で鉛筆８を壁材２に向かって押し込むだけでよいため、マーキング位置の正確性、およびマーキングのしやすさ、すばやさなど操作性にきわめて優れたものとなる。またこのとき、鉛筆８を押し込むと、筆記具保持用ゴム１０が撓み、マーキングした後に鉛筆８を離すとゴムの反力により鉛筆８は元の保持位置にもどるため、物体探査中に不必要に壁を汚すこともなくなる。しかも、鉛筆８を挿入するときに、仮りに鉛筆８の芯８ａが真っ直ぐ挿入されなくても、鉛筆８の芯８ａはガイド部１２に当たり、筆記具保持用ゴム１０にあたるのを防止できる。つまり、筆記具保持用ゴム１０の傾斜部３４を覆うようにガイド部１２を配置することで、筆記具保持用ゴム１０はガイド部１２によって保護され、しかも鉛筆８はガイド部１２に沿ってまっすぐ押し込められることとなり、鉛筆８の先で筆記具保持用ゴム１０を突き破ることを防止できると共に、ガイド部１２に沿って鉛筆８の芯８ａを保持用孔１１に向かってスムーズにガイドできるようになる。
【００３１】
また本例では、筆記具保持用ゴム１０を本体ケース５の前面ケース２０Ｂと後面ケース２０Ａとで挟み込み固定する方式を採用しているため、筆記具保持用ゴム１０の固定が容易となり、筆記具保持用ゴム１０を固定するための専用の部品を設ける必要がなく、部品数を削減して低コスト化を図ることができると共に、前面ケース２０Ｂと後面ケース２０Ａとの突き合わせ部３１を筆記具保持用ゴム１０によって防水できるという効果もある。
【００３２】
また、本体ケース５の開口部９内に鉛筆８の側面部８ｂを支点支持するための支点支持部１４が設けられており、支点支持部１４を支点にして鉛筆８を前後左右に動かすことができるようになる。例えば鉛筆８を押しながら図７の矢印Ｍで示す方向に動かしたり、或いは、図７の矢印Ｎで示す方向に回転させたりすることで、壁材２の表面４に自由なマーキングがしやすくなるという利点がある。さらに本例では、開口部９から壁材２の表面４側とは反対方向に向かって鉛筆８が挿入保持される筒状凸部１９が突設されているので、筒状凸部１９によって開口部９内に保持されている鉛筆８のぐらつきを押さえることができると共に、比較的長い鉛筆８も安定して保持できるようになるという利点があり、また筒状凸部１９の先端が支点支持部としても働くので、結果、鉛筆８を上下２箇所（開口部９内の支点支持部１４と筒状凸部１９の先端部分）でそれぞれ支点支持でき、鉛筆８を自由に動かしてマーキングする際に、鉛筆８を支点支持する箇所が増え、鉛筆８の必要以上の動きを規制できるようになる。
【００３３】
そのうえ、図９に示すように、筆記具保持用ゴム１０の撓み部１３に、撓み方向Ａに沿わせて厚肉に形成された厚肉部１６が設けられているので、鉛筆８の押し込みによる筆記具保持用ゴム１０のひっくり返り（反転して戻らなくなる状態）を未然に防止することができると共に、マーキング完了後、押し当てた鉛筆８を離した後、確実にもとの位置に筆記具保持用ゴム１０の反力でもどすことができるようになり、マーキング作業がはかどる。
【００３４】
図６、図７、図８は本発明の他の実施形態であり、筆記具保持用ゴム１０に撓み部１３が所定以上に撓むのを規制するためのリング１５を付設した場合の一例を示している。なお、図６〜図８中ではガイド部１２の図示を省略している。他の構成は図１の実施形態と同様である。本例では、筆記具保持用ゴム１０の保持用孔１１の外周部にリング１５を嵌め込んだことによって、筆記具保持用ゴム１０による鉛筆８の保持力が向上すると共に、設定以上に撓み部１３が撓むのをリング１５によって防止できるようになり、ゴムのへたり防止など、信頼性を向上させることができる。さらに本例では、鉛筆８をマーキングするために押し込んだ際に、筆記具保持用ゴム１０に付設したリング１５が当たるように、本体ケース５の開口部９内に凸状のストッパー部１８を設けている。このようにリング１５がストッパー部１８に当たることにより、鉛筆８の突出量が調整できるため、必要以上に鉛筆８の先を壁におしあてることがなくなり、壁材２に傷をつけたり、鉛筆８の芯８ａが折れたりすることを回避できるという利点がある。
【００３５】
【発明の効果】
上述のように請求項１記載の発明にあっては、壁材や天井材の表面に沿って移動される本体ケースにセンサー部を設け、壁材等の背後に物体があるときに誘電率に差が生じることを利用して静電容量の変化を検出したり、或いは周囲の磁界、電界の強さの変化量を検出することで、物体の位置を探査する埋設物検出装置において、前記本体ケースに、物体の位置を壁材等の表面上にマーキングするための筆記具が挿入される開口部を設けると共に、開口部内に筆記具を壁材等の表面に当たらない位置で保持するための筆記具保持用ゴムを設け、この筆記具保持用ゴムは、筆記具の先端部を筆記具保持用ゴムに設けた保持用孔に向かって案内するガイド部と、保持用孔により保持された筆記具の先端部を壁材等の表面に押し付ける方向に向かって移動可能にする撓み部とを具備しているので、本体ケースを移動させているときは、筆記具は筆記具保持用ゴムによって開口部の内側に保持され、マーキングする際は、手で筆記具を壁材等の表面に向かって押し込むだけでよいため、マーキング位置の正確性、およびマーキングのしやすさ、すばやさなど操作性にきわめて優れたものとなり、またこのとき、筆記具を押し込むと、筆記具保持用ゴムが撓み、マーキングした後に筆記具を離すとゴムの反力により筆記具は元の保持位置にもどるため、物体探査中に不必要に壁材等を汚すこともなくなる。また筆記具保持用ゴムに筆記具を挿入する際に仮りに筆記具が真っ直ぐ挿入されなくても、ガイド部によって筆記具の先端部（例えば鉛筆の芯）が筆記具保持用ゴムに当たるのを防止でき、筆記具保持用ゴムを突き破ることを防止できると共に、ガイド部に沿って筆記具を保持用孔に向かってスムーズにガイドでき、使い勝手も良好となる。
【００３６】
また請求項２記載の発明は、請求項１記載の効果に加えて、前記開口部内に、筆記具の側面部を支点支持すると共に筆記具の先端部を壁材等の表面と平行な方向に動かせるようにするための支点支持部を設けたので、自由なマーキングがしやすくなる。
【００３７】
また請求項３記載の発明は、請求項１記載の効果に加えて、前記撓み部の所定以上の撓みを規制するためのリングを付設したので、筆記具保持用ゴムによる筆記具の保持力が向上すると共に、設定以上に撓み部が撓むのをリングによって防止できるようになり、ゴムのへたり防止など、信頼性を向上させることができる。
【００３８】
また請求項４記載の発明は、請求項１又は請求項３記載の効果に加えて、前記撓み部に、撓み方向に沿わせて厚肉に形成された厚肉部を設けたので、筆記具を押し込んだ際に筆記具保持用ゴムのひっくり返り（反転して戻らなくなる状態）を未然に防止することができ、マーキング作業がはかどる。
【００３９】
また請求項５記載の発明は、請求項３記載の効果に加えて、前記開口部内に、前記リングの所定以上の動きを規制するためのストッパー部を設けたので、筆記具保持用ゴムが大きく撓んだ場合に、リングがストッパー部に当たることで、筆記具の突出量が調整でき、必要以上に筆記具を壁材等の表面に押し当てることがなくなり、壁材に傷をつけたり、筆記具の先端部が折れたりすることを回避できるものである。
【００４０】
また請求項６記載の発明は、請求項１又は請求項２又は請求項５記載の効果に加えて、前記開口部から壁材等の表面側とは反対方向に向かって筆記具が挿入保持される筒状凸部を突設したので、筒状凸部によって開口部内に保持されている筆記具のぐらつきを押さえることができると共に、比較的長い筆記具でも安定して保持できるようになる。
【００４１】
また請求項７記載の発明は、請求項１乃至請求項６のいずれかに記載の効果に加えて、前記本体ケースを前面ケースと後面ケースとで構成し、前面ケースと後面ケースとの間で筆記具保持用ゴムを挟持してなるので、本体ケースを利用して筆記具保持用ゴムの固定が容易にでき、しかも筆記具保持用ゴムを固定するための専用の部品を設ける必要がなく、部品数を削減して低コスト化を図ることができると共に、本体ケースの突き合わせ部を筆記具保持用ゴムによって防水でき、筆記具保持用ゴムを利用して防水性を高めることができるものである。
【図面の簡単な説明】
【図１】本発明の一実施形態のマーキング機能を有する埋設物検出装置を示し、（ａ）は鉛筆を保持する開口部付近の断面図、（ｂ）は筆記具保持用ゴムの断面図である。
【図２】（ａ）は同上の埋設物検出装置の本体ケースの正面図、（ｂ）は側面図である。
【図３】同上の本体ケースの背面図である。
【図４】同上の本体ケースのマーキング用の開口部に鉛筆を挿入保持した状態を説明する側面図である。
【図５】（ａ）は同上の本体ケース内部の構造を説明する正面図、（ｂ）は側面断面図である。
【図６】他の実施形態を説明する断面図である。
【図７】同上の鉛筆によるマーキング動作を説明する断面図である。
【図８】同上の筆記具保持用ゴムの断面図である。
【図９】同上の筆記具保持用ゴムを示し、（ａ）は平面図、（ｂ）は側面断面図、（ｃ）は鉛筆によって押し下げられる場合の状態説明図である。
【図１０】同上の本体ケースの走査作業の説明図である。
【図１１】（ａ）は従来の開口部付き本体ケースを上から見た斜視図、（ｂ）は下から見た斜視図である。
【図１２】（ａ）は従来の鉛筆を保持する開口部付近の断面図、（ｂ）は筆記具保持用ゴムに鉛筆の芯が突き刺さった場合の断面図である。
【符号の説明】
１  埋設物検出装置
２  壁材
４  表面
５  本体ケース
６  センサー部
７  筆記具
９  開口部
１０  筆記具保持用ゴム
１１  保持用孔
１２  ガイド部
１３  撓み部
１４  支点支持部
１５  リング
１６  厚肉部
１８  ストッパー部
１９  筒状凸部
２０Ａ  前面ケース
２０Ｂ  後面ケース
Ａ  撓み方向
【図１】
2004184287.tif 000003
【図２】
2004184287.tif 000004
【図３】
2004184287.tif 000005
【図４】
2004184287.tif 000006
【図５】
2004184287.tif 000007
【図６】
2004184287.tif 000008
【図７】
2004184287.tif 000009
【図８】
2004184287.tif 000010
【図９】
2004184287.tif 000011
【図１０】
2004184287.tif 000012
【図１１】
2004184287.tif 000013
【図１２】
2004184287.tif 000014